(57)【要約】【課題】  複写機、ファクシミリ等の画像形成装置に用いる、用紙搬送機構を持つ用紙折り装置において、用紙の挿入口が複数あっても動作に支障が起きないようにする。【解決手段】  複写機等の用紙供給装置１００から供給されてきた用紙が、自動挿入口１１１から用紙折り装置本体に挿入される場合、第１搬送ローラ対２、３で第１搬送経路４へと送り、第１搬送経路４を通過させて折り機構部５へと用紙を導く。用紙供給装置１００からは用紙を供給するという情報を用紙折り装置の制御手段６に送信しており、制御手段６がこの情報を受けている間は、手差し挿入口７の近傍に設けてある用紙検知手段８が用紙の存在を検知しても第２搬送ローラ対９、１０を回転させず静止状態を保つ。【選択図】        図１
2006240858.tif 000002
【特許請求の範囲】
【請求項１】
一の挿入口と、用紙供給装置から該一の挿入口を介して挿入された用紙を内部へ搬送する第１搬送手段と、他の挿入口と、該他の挿入口から挿入された用紙を内部へ搬送する第２搬送手段と、用紙を折り畳む折り機構部と、前記他の挿入口近傍に設けた用紙検知手段と、前記用紙供給装置からの信号や前記用紙検知手段から送られてくる情報によって前記第１、第２それぞれの搬送手段の動作を制御する制御手段を備え、
前記用紙供給装置から前記一の挿入口へ用紙が挿入されているときは、前記制御手段に用紙の供給を行っているという情報を送信し、前記用紙検知手段が用紙を検知しても前記第２搬送手段を起動させず静止状態を保ち続けさせ、かつ前記制御手段に前記用紙供給装置からの用紙の供給情報が送信されていない状態のとき、前記用紙検知手段が用紙を検知した場合に前記第２搬送手段を起動させ、前記第２搬送路へと用紙を送る動作を行うことを特徴とする用紙折り装置。
【請求項２】
用紙を折り畳む折り機構部と用紙供給装置から供給される用紙を挿入する自動挿入口と挿入された用紙を内部へ搬送する第１搬送手段と、該第１搬送手段によって搬送された用紙を前記折り機構部へ導く第１搬送路と、前記自動挿入口とは別の場所に設けられている手動で供給される用紙を挿入する手差し挿入口と、挿入された用紙を内部へ搬送する第２搬送手段と、該第２搬送手段によって搬送された用紙を前記折り機構部へ導く第２搬送路と、前記手差し挿入口近傍に設けられた用紙検知手段と、前記用紙供給装置からの信号や前記用紙検知手段から送られてくる情報によって前記第１、第２それぞれの搬送手段の動作を制御する制御手段を備えた用紙折り装置において、
前記用紙供給装置から前記自動挿入口へ用紙が挿入されているときは、前記制御手段に用紙の供給を行っているという情報を送信し、前記手差し挿入口近傍にある前記用紙検知手段が用紙を検知しても、前記第２搬送手段を起動させず静止状態を保ち続けさせ、かつ前記制御手段に前記用紙供給装置からの用紙の供給情報が送信されていない状態のとき、前記用紙検知手段が用紙を検知した場合に前記第２搬送手段を起動させ、前記第２搬送路へと用紙を送る動作を行うことを特徴とする用紙折り装置。
【請求項３】
前記第２搬送手段が、一対のローラからなるローラ対であり、駆動側のローラに従動側のローラを押圧部材によって圧接させるとともに、トルクリミッタで構成する駆動装置を備えることを特徴とする請求項１または２に記載の用紙折り装置。
【請求項４】
前記第２搬送手段が、一対のローラからなるローラ対であり、該ローラの駆動がない状態で用紙を挿入しようとしても、容易には回転しないようになっていることを特徴とする請求項１または２に記載の用紙折り装置。
【請求項５】
前記第２搬送路上の前記用紙検知手段が用紙を検知している最中に、前記制御手段に用紙の供給情報が入力されてきた場合、前記手差し挿入口から挿入されて現在検知されている用紙が前記折り機構部へ到達し、用紙折りが終了するまで用紙供給装置からの用紙供給を一時中断する情報を前記制御手段より前記用紙供給装置へ返し、該用紙供給装置の動作を中断させることを特徴とする請求項１から４のいずれかに記載の用紙折り装置。
【請求項６】
請求項１から５のいずれかに記載の用紙折り装置であって、複写機、ファクシミリ等の画像形成装置のフィニッシャー等の後処理装置として用いるものであることを特徴とする用紙折り装置。
【請求項７】
請求項１から５のいずれかに記載の用紙折り装置を備えることを特徴とする複写機、ファクシミリ等の画像形成装置。
【発明の詳細な説明】
【技術分野】
【０００１】
本発明は、複写機、ファクシミリ等の画像形成装置、フィニッシャー等の後処理装置に用いる、複数の用紙挿入口を備えた用紙搬送機構を持つ用紙折り装置に関する。
【背景技術】
【０００２】
上述のような用紙折り装置や、画像形成装置においては、挿入口からの用紙の挿入を一時的に止める方法として、用紙挿入口付近にストッパ部材等を設けて、挿入口を使用するときはストッパ部材を開放し用紙を搬送経路へと導き、使用しないときはストッパ部材を閉めることによって用紙が搬送路内に入ってこないようにする方法が知られている（例えば特許文献１、２参照）。
【特許文献１】特開２００１−３４８１３０号公報
【特許文献２】特許第２５４１２１０号（特開昭63-242866号公報）
【発明の開示】
【発明が解決しようとする課題】
【０００３】
しかしながらこれらの方法は、各用紙挿入口それぞれに用紙の進入を防ぐための機構を別部材によって設ける必要があり、そのため機械の構成が複雑となり、部品点数も増えるので、コスト的にも負担になる。これは挿入口の数が増えれば増えるほど顕著になってくる。
【０００４】
そこで本発明は、上記不具合にかんがみ、挿入口が２つあっても動作に支障が起きないようにすることができる用紙折り装置と、これを用いた画像形成装置を提供することを目的とする。
【課題を解決するための手段】
【０００５】
請求項１に係る本発明の用紙折り装置は、一の挿入口と、用紙供給装置から該一の挿入口を介して挿入された用紙を内部へ搬送する第１搬送手段と、他の挿入口と、該他の挿入口から挿入された用紙を内部へ搬送する第２搬送手段と、用紙を折り畳む折り機構部と、前記他の挿入口近傍に設けた用紙検知手段と、前記用紙供給装置からの信号や前記用紙検知手段から送られてくる情報によって前記第１、第２それぞれの搬送手段の動作を制御する制御手段を備え、前記用紙供給装置から前記一の挿入口へ用紙が挿入されているときは、前記制御手段に用紙の供給を行っているという情報を送信し、前記用紙検知手段が用紙を検知しても前記第２搬送手段を起動させず静止状態を保ち続けさせ、かつ前記制御手段に前記用紙供給装置からの用紙の供給情報が送信されていない状態のとき、前記用紙検知手段が用紙を検知した場合に前記第２搬送手段を起動させ、前記第２搬送路へと用紙を送る動作を行うことを特徴とする。
【０００６】
請求項２に係る本発明の用紙折り装置は、用紙を折り畳む折り機構部と用紙供給装置から供給される用紙を挿入する自動挿入口と挿入された用紙を内部へ搬送する第１搬送手段と、該第１搬送手段によって搬送された用紙を前記折り機構部へ導く第１搬送路と、前記自動挿入口とは別の場所に設けられている手動で供給される用紙を挿入する手差し挿入口と、挿入された用紙を内部へ搬送する第２搬送手段と、該第２搬送手段によって搬送された用紙を前記折り機構部へ導く第２搬送路と、前記手差し挿入口近傍に設けられた用紙検知手段と、前記用紙供給装置からの信号や前記用紙検知手段から送られてくる情報によって前記第１、第２それぞれの搬送手段の動作を制御する制御手段を備えた用紙折り装置において、前記用紙供給装置から前記自動挿入口へ用紙が挿入されているときは、前記制御手段に用紙の供給を行っているという情報を送信し、前記手差し挿入口近傍にある前記用紙検知手段が用紙を検知しても、前記第２搬送手段を起動させず静止状態を保ち続けさせ、かつ前記制御手段に前記用紙供給装置からの用紙の供給情報が送信されていない状態のとき、前記用紙検知手段が用紙を検知した場合に前記第２搬送手段を起動させ、前記第２搬送路へと用紙を送る動作を行うことを特徴とする。
【０００７】
同請求項３に係るものは、請求項１または２に記載の用紙折り装置において、前記第２搬送手段が、一対のローラからなるローラ対であり、駆動側のローラに従動側のローラを押圧部材によって圧接させるとともに、トルクリミッタで構成する駆動装置を備えることを特徴とする。
【０００８】
同請求項４に係るものは、請求項１または２に記載の用紙折り装置において、前記第２搬送手段が、一対のローラからなるローラ対であり、該ローラの駆動がない状態で用紙を挿入しようとしても、容易には回転しないようになっていることを特徴とする。
【０００９】
同請求項５に係るものは、請求項１から４のいずれかに記載の用紙折り装置において、前記第２搬送路上の前記用紙検知手段が用紙を検知している最中に、前記制御手段に用紙の供給情報が入力されてきた場合、前記手差し挿入口から挿入されて現在検知されている用紙が前記折り機構部へ到達し、用紙折りが終了するまで用紙供給装置からの用紙供給を一時中断する情報を前記制御手段より前記用紙供給装置へ返し、該用紙供給装置の動作を中断させることを特徴とする。
【００１０】
同請求項６に係るものは、請求項１から５のいずれかに記載の用紙折り装置であって、複写機、ファクシミリ等の画像形成装置のフィニッシャー等の後処理装置として用いるものであることを特徴とする。
【００１１】
請求項７に係る複写機、ファクシミリ等の本発明の画像形成装置は、請求項１から５のいずれかに記載の用紙折り装置を備えることを特徴とする。
【発明の効果】
【００１２】
本発明は、用紙の挿入口が２つあっても動作に支障が起きないようにすることが可能となる。
【発明を実施するための最良の形態】
【００１３】
以下本発明を実施するための最良の形態を、図に示す実施例を参照して説明する。
【実施例１】
【００１４】
図１は本発明の実施対象となる用紙折り装置の全体の構成を示す断面図である。図１に示す用紙折り装置１は、画像形成が行われる複写機本体２００の隣りに併設するものである。この用紙折り装置１は、複写機装置本体２００から排出された用紙を搬送する用紙搬送部２と、用紙を搬送方向に対して垂直方向に折り目を付ける第１ジャバラ折り部３と、第１ジャバラ折り部３によって付けられた折り目に沿って用紙をジャバラ状に折り畳む第２ジャバラ折り部４と、第２ジャバラ折り部４でジャバラ状に折られた用紙をＡ４の大きさに垂直方向に折り畳むクロス折り部５と、Ａ４の大きさに折り畳まれた用紙を排出しスタックするスタッカー部６で構成されている。
【００１５】
複写機装置本体２００は、画像読取装置２０５を備えているとともに、その下部に手差し給紙台２０８が配置してある。この手差し給紙台２０８にセットされた用紙は、レジストローラ２０７により一時停止させ、タイミングをとって作像ユニット２０６に供給する。作像ユニット２０６は、感光体に画像データに対応した潜像を形成し、この潜像をトナーにより現像し、このトナー像を用紙に転写し、定着装置２１０により定着させるようにしてある。定着装置２１０でトナー像を定着された用紙Ｐは、用紙排出ローラ２１１により、用紙折り装置１の用紙挿入口Ａへと排出される。その後、用紙Ｐは用紙搬送部２により第１ジャバラ折り部３へ搬送され、用紙Ｐの搬送方向に対して垂直方向に折り目が付けられ、第２ジャバラ折り部４により前記折り目に沿ってジャバラ状に折り畳まれる。さらにジャバラ状に折り畳まれた用紙Ｐは、ジャバラ折り時の搬送方向に対して垂直方向に搬送され、クロス折り部５によってＡ４の大きさに折り畳まれ、スタッカー部６に排出、スタックされる。
【００１６】
次にジャバラ折り部の構成について説明する。第１ジャバラ折り部３は第１の折りローラ対（第１の回転部材対）と、第１の折りローラ対の用紙搬送方向下流側に設けた第２の折りローラ対（第２の回転部材対）とを備え、第１の折りローラ対は突起を有する一方の回転ローラ１６と、溝を有する他方の回転ローラ１７とを有し、第２の折りローラ対は突起を有する一方の回転ローラ１９と、溝を有する他方の回転ローラ１８とを有している。また、第２の折りローラ対の下流には搬送ローラ対２０、２１が設けてあり、折り目の付された用紙を第２ジャバラ折り部４に搬送するようになっている。
【００１７】
第２ジャバラ折り部４は、図の左右方向に移動自在に設けた用紙切換口２２と、用紙切換口２２の下流側の第２折りローラ右対２３、２４及び第２折りローラ左対２５、２６が設けてある。この第２ジャバラ折り部４において折り目の付された用紙が折り畳まれる。
【００１８】
図２は本発明の実施例に係る用紙折り装置と、これを後処理装置として有するシステムを示す概念図である。このシステムは、本発明の実施例に係る用紙折り装置を、用紙供給装置１００（例えば図１に示したような複写機等の画像形成装置、あるいは類似の用紙搬送を行う装置）から供給されてきた用紙を折り曲げる処理するために、用紙供給装置１００の排紙口１０１の下流側に接続してある。図中１１１は用紙の自動挿入口、１１２、１１３は第１搬送ローラ対、１１４は第１搬送経路、１１５は用紙の折り機構部である。また１１６は制御手段で、用紙検知手段１１８から情報を得るとともに、用紙供給装置１００との間で情報等をやりとりするようになっている。また図中１１７は手差し挿入口、１１９、１２０は第２搬送ローラ対、１２１は第２搬送経路、１２２は共通経路、１２３はスプリングである。
【００１９】
本実施例装置では、用紙供給装置１００の排紙口１０１から排紙されてきた用紙が自動挿入口１１１より用紙折り装置本体に挿入される。すると、挿入されてきた用紙を回転する第１搬送ローラ対１１２、１１３で第１搬送経路１１４へと送り、第１搬送経路１１４を通過させて折り機構部１１５へと用紙を導く。
【００２０】
このとき、用紙供給装置１００からは用紙を供給するという情報を用紙折り装置の制御手段１１６に送信している。制御手段１１６は、この情報を受けている間は、手差し挿入口１１７の近傍に設けてある用紙検知手段１１８が用紙の存在を検知しても第２搬送ローラ対１１９、１２０を回転させずに静止状態を保つ。
【００２１】
図３に示すように、この作用によって、自動挿入口１１１から用紙が挿入されている間は、手差し挿入口１１７から用紙が誤挿入されて第２搬送経路１２１に搬送され、第１搬送経路１１４より搬送されてくる用紙と折り機構部入り口手前の共通経路１２２でぶつかることがなくなる。すなわち用紙の挿入口が２つあっても動作に支障が起きないようにすることができる。
【００２２】
また、用紙供給装置１００から用紙を供給するという情報が用紙折り装置の制御手段１１６に送信されていない状態のときに、手差し挿入口１１７から用紙が挿入され、用紙検知手段１１８が用紙を検知した場合、図４に示すように、第２搬送ローラ対１１９、１２０を動作させ、挿入されてきた用紙を第２搬送経路１２１へ送り、共通経路１２２を通過させて折り機構部１１５へと送る。
【００２３】
第１搬送ローラ対１１２、１１３、第２搬送ローラ対１１９、１２０のそれぞれ従動側にあるローラ１１３、１２０には押圧部材であるスプリング１２３が設けてあって、スプリング１２３によって常に従動ローラ１１３、１２０を駆動ローラ１１２、１１９に押圧付勢している。また、第２搬送ローラ対の駆動側にあるローラ１１９にはトルクリミッタを備えている。そのため、図５に示すように、用紙折り装置本体からの駆動制御がない状態では用紙を挿入しようとしても、搬送ローラを超えて奥の搬送経路へ送られてしまうのを防いでいる。換言すれば、機械からの駆動がない状態で用紙を挿入しようとしても、容易には回転しないローラ対になっているので、特別に用紙の進入を防ぐ部材を設ける必要がないようになっている。
【００２４】
また、手差し挿入口１１７より用紙が挿入され搬送されている最中に、用紙供給装置から制御手段１１６に対して用紙を供給するという情報が送信されてきたときは、図６に示すように、制御手段１１６は用紙検知手段１１８からの用紙検知情報がなくなり、折り機構部１１５での作業が終了するまで、用紙供給を待つよう用紙供給装置１００に情報を送信し、手差し挿入口１１７からの用紙と自動挿入口１１１からの用紙がぶつからないようにしている。すなわち、制御手段によって用紙供給装置１００からの用紙の搬送を一時中断させているので、手差し挿入口１１７を使用中に自動挿入口１１１から用紙が進入してきて、用紙折り装置本体内でぶつかりジャムを引き起こすことを防止できる。
【図面の簡単な説明】
【００２５】
【図１】本発明の実施対象となる用紙折り装置の全体の構成を示す断面図
【図２】本発明に係る、使用していない挿入口からの用紙の進入を防ぐ機能を持った用紙折り装置の模式的な簡略断面図
【図３】同じく、用紙供給装置から自動挿入口に用紙が挿入されている場合を示す説明図
【図４】同じく、手差し挿入口から用紙が挿入されている場合を示す説明図
【図５】同じく、スプリングによって押圧されかつ駆動していない状態の第１のローラ対と、トルクリミッタを具備した第２のローラ対に対して第２ローラ対側から用紙が挿入されてきた場合を示す説明図
【図６】同じく、手差し挿入口から用紙が挿入されている状態のとき、用紙供給装置から用紙供給の情報が送られてきた場合を示す説明図
【符号の説明】
【００２６】
１：用紙折り装置
２：用紙搬送部
３：第１ジャバラ折り部
４：第２ジャバラ折り部
５：クロス折り部
６：スタッカー部
１６〜１９：回転ローラ
２０、２１：搬送ローラ対
２２：用紙切換口
２３、２４：第２折りローラ右対
２５、２６：第２折りローラ左対
１００：用紙供給装置
１０１：用紙供給装置の排紙口
１１１：自動挿入口
１１２、１１３：第１搬送ローラ対
１１４：第１搬送経路
１１５：折り機構部
１１６：制御手段
１１７：手差し挿入口
１１８：用紙検知手段
１１９、１２０：第２搬送ローラ対
１２１：第２搬送経路
１２２：共通経路
１２３：スプリング
２００：複写機本体
２０５：画像読取装置
２０６：作像ユニット
２０７：レジストローラ
２０８：手差し給紙台
２１０：定着装置
２１１：用紙排出ローラ
Ｐ：用紙
【図１】
2006240858.tif 000003
【図２】
2006240858.tif 000004
【図３】
2006240858.tif 000005
【図４】
2006240858.tif 000006
【図５】
2006240858.tif 000007
【図６】
2006240858.tif 000008